(57)【要約】【課題】注出部の清掃作業性を向上でき、プッシュレバーに設けられたマグネットに加えられる荷重を低減することのできるディスペンサを提供する。【解決手段】プッシュレバー７の背面側の面、プッシュレバー７の長さ方向に延びる２つのリブ２１，２１が互いに平行に間隔を空けて設けられている。リブ２１，２１はそれぞれ、一部分が突出するように形成された付き当て部２２を有している。リブ２１，２１間には、付き当て部２２の下方に、マグネット９を収容するマグネット収容部２３が設けられている。マグネット収容部２３は、付き当て部２２よりも凹むように設けられている。プッシュレバー７の最上部には、氷放出部４にプッシュレバー７を回動可能に取り付けるための取り付け部２４が設けられている。【選択図】図２
2012220050.tif 000002
【特許請求の範囲】
【請求項１】
氷及び飲料の少なくとも１つが注出される注出部と、
前記氷及び飲料を注出するためのスイッチとなる操作部と
を備え、
前記操作部は、
振り子状に回動するプッシュレバーと、
前記注出部の壁に対して前記プッシュレバーと反対側に設けられたリードスイッチと
を備え、
前記プッシュレバーは、前記壁に対向する面に、
複数のリブと、
該リブ間に設けられたマグネットと、
前記リブから前記壁に向かって突出する付き当て部と
を備えるディスペンサ。
【請求項２】
前記プッシュレバーには、前記壁に対向する面とは反対側の面に、窪み部が設けられている、請求項１に記載のディスペンサ。
【発明の詳細な説明】
【技術分野】
【０００１】
この発明は、ディスペンサに係り、特に、氷及び飲料を注出するための操作部の構造に関する。
【背景技術】
【０００２】
氷ディスペンサから氷を注出するための従来の操作部の構造が特許文献１に記載されている。この操作部は、注出スイッチである押しボタンをコップで押すと、マグネットがリードスイッチに近づいてリードスイッチを感応することにより、氷を注出する注出機構部が機能して、氷が注出されるものである。このような氷ディスペンサは、コップ等に氷を注出する注出部において、氷の注出時に氷の一部が飛び散ってコップの奥に位置する注出部の壁に付着してしまい、その壁が汚れやすくなる。しかし、その壁には、押しボタンを含む操作部が氷ディスペンサの内部から突き出る構成となっているので、壁の清掃がしにくいという問題点があった。これに対し、特許文献２に記載された氷ディスペンサのように、注出スイッチとして振り子状に回動するプッシュレバーを用いれば、コップの奥に配置された注出部の壁は、操作部が突き出る構成を回避することができるので、注出部の壁の清掃がしやすくなる。
【先行技術文献】
【特許文献】
【０００３】
【特許文献１】特開２００４−１１９５１号公報
【特許文献２】特開平２−３４９７１号公報
【発明の概要】
【発明が解決しようとする課題】
【０００４】
しかしながら、振り子状に回動するプッシュレバーにマグネットを設け、注出部の壁の裏側にリードスイッチを設けると、コップでプッシュレバーを押したときにプッシュレバーが壁に突き当たる時の衝撃で、マグネットが破損してリードスイッチが作動しなくなるおそれがあるといった問題点があった。
【０００５】
この発明はこのような問題点を解決するためになされたもので、注出部の清掃作業性を向上でき、プッシュレバーに設けられたマグネットに加えられる荷重を低減することのできるディスペンサを提供することを目的とする。
【課題を解決するための手段】
【０００６】
この発明に係るディスペンサは、氷及び飲料の少なくとも１つが注出される注出部と、氷及び飲料を注出するためのスイッチとなる操作部とを備え、操作部は、振り子状に回動するプッシュレバーと、注出部の壁に対してプッシュレバーと反対側に設けられたリードスイッチとを備え、プッシュレバーは、壁に対向する面に、複数のリブと、リブ間に設けられたマグネットと、リブから壁に向かって突出する付き当て部とを備える。
プッシュレバーには、注出部の壁に対向する面とは反対側の面に、窪み部が設けられていてもよい。
【発明の効果】
【０００７】
この発明によれば、プッシュレバーに設けられたマグネットに感応するリードスイッチが、注出部の壁に対してプッシュレバーと反対側に設けられていることにより、注出部の壁から操作部が突き出る構成を回避しているので、注出部の壁を拭き取りやすくなり、注出部の清掃作業性を向上することができる。また、プッシュレバーには、注出部の壁に対向する面に、注出部の壁に向かって突出する付き当て部が設けられていることにより、プッシュレバーが押されたときに付き当て部が注出部の壁に突き当たるので、マグネットに加えられる荷重を低減することができる。
【図面の簡単な説明】
【０００８】
【図１】この発明の実施の形態に係る氷ディスペンサの断面図である。
【図２】この実施の形態に係る氷ディスペンサに設けられたプッシュレバーの背面側斜視図である。
【図３】この実施の形態に係る氷ディスペンサに設けられたプッシュレバーの正面側斜視図である。
【発明を実施するための形態】
【０００９】
以下、この発明の実施の形態を添付図面に基づいて説明する。
図１に示されるように、氷ディスペンサ１は、氷を貯氷する貯氷庫２を内部に有している。貯氷庫２内において、貯氷庫２の底部付近には、水平方向に延びるようにオーガ３が設けられている。貯氷庫２の底部には、オーガ３の一方の端部付近に、開口部２ａが設けられている。開口部２ａと連通するように、筒状の氷放出部４が設けられている。
【００１０】
氷放出部４の下方には、氷ディスペンサ１から氷が注出される注出部６が設けられている。注出部６は、壁６ａによって、貯氷庫２の下方に設けられた機械室５と隔離されている。注出部６の下部には、スノコ１０が設けられている。
【００１１】
注出部６には、注出部６に氷を注出させるスイッチとなる操作部１１が設けられている。操作部１１は、氷放出部４付近に可動軸が設けられて振り子状に回動可能なプッシュレバー７と、壁６ａに対してプッシュレバー７とは反対側、すなわち機械室５内に設けられたリードスイッチ８とを備えている。プッシュレバー７にはマグネット９が内蔵されている。プッシュレバー７が壁６ａに向かって回動すると、マグネット９によってリードスイッチ８が感応され、これによってオーガ３が回転するようになっている。尚、氷放出部４に図示しないシャッタが設けられている場合には、オーガ３が回転すると共にシャッタが開くようにする。
【００１２】
図２に示されるように、プッシュレバー７の背面側の面、すなわち壁６ａ（図１参照）に対向する面に、プッシュレバー７の長さ方向に延びる２つのリブ２１，２１が互いに平行に間隔を空けて設けられている。リブ２１，２１により、プッシュレバー７の強度が増すことになる。リブ２１，２１はそれぞれ、一部分が突出するように形成された付き当て部２２を有している。リブ２１，２１間には、付き当て部２２の下方に、マグネット９（図１参照）を収容するマグネット収容部２３が設けられている。マグネット収容部２３は、付き当て部２２よりも凹むように設けられている。プッシュレバー７の最上部には、氷放出部４にプッシュレバー７を回動可能に取り付けるための取り付け部２４が設けられている。また、図３に示されるように、プッシュレバー７の正面側の面、すなわち壁に対向する面とは反対側の面に、窪み部２５が設けられている。
【００１３】
次に、この発明の実施の形態に係るディスペンサの動作を図１〜３に基づいて説明する。
氷ディスペンサ１から氷を注出するために、ユーザーは、注出部６において、コップでプッシュレバー７を押す。この際、コップの飲み口を窪み部２５に位置するようにすると、コップの飲み口がプッシュレバー７の正面側の面に接触しなくなるので、不特定多数のユーザーが氷ディスペンサ１を使用しても衛生的である。プッシュレバー７が押されて壁６ａに向かって回動すると、プッシュレバー７の背面側の面から最も突出した部分である付き当て部２２が壁６ａに衝突し、壁６ａに向かってこれ以上回動できなくなる。マグネット９は、付き当て部２２よりも凹むように設けられたマグネット収容部２３内に収容されているので、マグネット９が壁６ａに直接衝突することはない。これにより、プッシュレバー７が壁６ａに衝突する際にマグネット９に加えられる荷重を低減することができる。
【００１４】
プッシュレバー７が壁６ａに向かって回動すると、マグネット９がリードスイッチ８に近づくことにより、リードスイッチ８が感応され、オーガ３が回転し始める。貯氷庫２内に貯氷された氷の一部は、オーガ３の回転によってオーガ３に沿って開口部２ａに向かって移動され、開口部２ａから氷放出部４内に落下し、氷放出部４の下方に位置するコップに氷が注出される。ユーザーは、氷の注出を停止するときには、プッシュレバー７を押すのをやめる。すると、プッシュレバー７が壁６ａから離れる方向に回動し、マグネット９がリードスイッチ８を感応しなくなる。これにより、オーガ３が停止し、注出部６への氷の注出が停止する。
【００１５】
このように、プッシュレバー７に設けられたマグネット９に感応するリードスイッチ８が、注出部６の壁６ａに対してプッシュレバー７と反対側に設けられていることにより、注出部６の壁６ａから操作部１１が突き出る構成を回避しているので、注出部６の壁６ａを拭き取りやすくなり、注出部６の清掃作業性を向上することができる。また、プッシュレバー７には、注出部６の壁６ａに対向する面に、注出部６の壁６ａに向かって突出する付き当て部２２が設けられていることにより、プッシュレバー７が押されたときに付き当て部２２が注出部６の壁６ａに突き当たるので、マグネット９に加えられる荷重を低減することができる。
【００１６】
この実施の形態において、マグネット収容部２３は、付き当て部２２の下方に位置するが、付き当て部２２の上方に位置してもよい。ただし、マグネット９は、リードスイッチ８に対してできるだけ長い距離を移動可能にすることが、リードスイッチ８の感応性の観点から好ましい。このため、マグネット９は、プッシュレバー７においてできるだけ下方に設けることが好ましく、この実施の形態のように、マグネット９がプッシュレバー７において最下位置に配置され、マグネット９の上方に付き当て部２２が設けられている構成が最も好ましい。
【００１７】
この実施の形態では、ディスペンサとして、氷を注出する氷ディスペンサ１を例にして説明したが、これに限定するものではない。氷を注出する機能に加えて、またはそれに代えて、水（お湯も含む）やジュースやお茶等の飲料を注出する機能を有する氷飲料ディスペンサまたは飲料ディスペンサであってもよい。これらの場合には、飲料を注出する飲料注出部に、操作部１１を設け、マグネット９がリードスイッチ８を感応することにより、ポンプ等が起動して、タンク内の飲料が飲料注出部から注出されるようにすることができる。
【符号の説明】
【００１８】
１  氷ディスペンサ（ディスペンサ）、６  注出部、６ａ  （注出部の）壁、７  プッシュレバー、８  リードスイッチ、９  マグネット、１１  操作部、２１  リブ、２２  付き当て部、２５  窪み部。
【図１】
2012220050.tif 000003
【図２】
2012220050.tif 000004
【図３】
2012220050.tif 000005